(57)【要約】【課題】エレベータ昇降路用足場装置を昇降路内に安定姿勢で取り付けることができるようにする。【解決手段】エレベータの昇降路２の乗場２ａ側から奥壁面２ｂに向かって上向き傾斜状に架設される長さ調整自在な支柱ユニット３を備え、前記支柱ユニット３は、基端側が昇降路２の乗場２ａ側に固定される基枠４と、この基枠４の自由端側に対して長さ調整自在に連結されていて昇降路２の奥壁面２ｂに当接する可動枠５とを有し、前記可動枠５の先端部に突出長さ微調整自在な当接部材３４を設ける。【選択図】図１
2006103927.tif 000002
【特許請求の範囲】
【請求項１】
エレベータの昇降路（２）の乗場（２ａ）側から奥壁面（２ｂ）に向かって上向き傾斜状に架設される長さ調整自在な支柱ユニット（３）を備え、
前記支柱ユニット（３）は、基端側が昇降路（２）の乗場（２ａ）側に固定される基枠（４）と、この基枠（４）の自由端側に対して長さ調整自在に連結されていて昇降路（２）の奥壁面（２ｂ）に当接する可動枠（５）とを有し、
前記可動枠（５）の先端部に突出長さ微調整自在な当接部材（３４）が設けられていることを特徴とするエレベータ昇降路用足場装置。
【請求項２】
前記当接部材（３４）は、可動枠（５）を構成する左右の枠材（８）の各先端部に独立して突出長さ微調整自在に設けられていることを特徴とする請求項１に記載のエレベータ昇降路用足場装置。
【請求項３】
前記基枠（４）には水平状の足場面（４０ａ）を形成する足場部材（４０）が設けられていることを特徴とする請求項１または２に記載のエレベータ昇降路用足場装置。
【請求項４】
前記基枠（４）と可動枠（５）とにわたって水平状の足場面（４０ａ）を形成する足場部材（４０）が設けられていることを特徴とする請求項１または２に記載のエレベータ昇降路用足場装置。
【請求項５】
前記基枠（４）は、左右の枠材（８）と、枠材（８）同士を連結する少なくとも２本の連結杆（９）とを備え、前記足場部材（４０）の一端部は一方の連結杆（９）に連結され、足場部材（４０）の他端部は前記足場面（４０ａ）が水平状となるように連結枠（４６）を介して他方の連結杆（９）に連結されていることを特徴とする請求項３に記載のエレベータ昇降路用足場装置。
【請求項６】
前記基枠（４）は、左右の枠材（８）と、枠材（８）同士を連結する連結杆（９）とを備え、前記可動枠（５）は、左右の枠材（１９）と、枠材（１９）同士を連結する連結杆（２０）とを備えており、
前記足場部材（４０）の一端部は基枠（４）の連結杆（９）と可動枠（５）の連結杆（２０）のうちの一方に連結され、足場部材（４０）の他端部は前記足場面（４０ａ）が水平状となるように連結枠（４６）を介して他方の連結杆に連結されていることを特徴とする請求項４に記載のエレベータ昇降路用足場装置。
【請求項７】
前記連結枠（４６）が梯子状に構成されていることを特徴とする請求項５または６に記載のエレベータ昇降路用足場装置。
【発明の詳細な説明】
【技術分野】
【０００１】
本発明は、エレベータの昇降路に用いられる足場装置に関するものである。
【背景技術】
【０００２】
従来、この種の足場装置としては、昇降路の乗場床に固定された足場固定部材と、この足場固定部材に結合されて立設された立柱部材と、この立柱部材に結合されていて昇降路内に張り出した水平部材と、一端部が立柱部材に結合され、他端部が水平部材に結合された傾斜部材とで構成され、水平部材に足場板を設けてこの上で所定の作業を行うようにしたものがある（特許文献１等参照）。
前記傾斜部材または水平部材は、昇降路の奥行き寸法の変化に対応できるように長さ可調整とされている。
【特許文献１】特開平０６−１５６９２２号公報
【特許文献２】特許公報第２８１４９２０号
【発明の開示】
【発明が解決しようとする課題】
【０００３】
従来の足場装置では、傾斜部材等が長さ調整可能とされているが、この傾斜部材が当接する昇降路の奥壁面に微少な凹凸がある場合には、この凹凸に対応して奥壁面側で長さの微調整ができず、傾斜部材を奥壁面に安定姿勢で固定することが困難な場合がある。
そこで、本発明は、昇降路の乗場側から奥壁面に上向き傾斜状に架設される支柱ユニットを、昇降路の乗場側に固定される基枠と、この基枠に対して長さ調整自在に連結されていて昇降路の奥壁面に当接する可動枠とで構成するとともに、この可動枠の先端部を長さ微調整自在とすることで、昇降路内に安定姿勢で固定できるエレベータ昇降路用足場装置を提供することを目的とする。
【課題を解決するための手段】
【０００４】
本発明は、上記の課題を解決するために以下の技術的手段を講じた。
第１に、足場装置１は、エレベータの昇降路２の乗場２ａ側から奥壁面２ｂに向かって上向き傾斜状に架設される長さ調整自在な支柱ユニット３を備え、前記支柱ユニット３は、基端側が昇降路２の乗場２ａ側に固定される基枠４と、この基枠４の自由端側に対して長さ調整自在に連結されていて昇降路２の奥壁面２ｂに当接する可動枠５とを有し、前記可動枠５の先端部に突出長さ微調整自在な当接部材３４が設けられていることを特徴とする。
【０００５】
これによれば、支柱ユニット３は、可動枠５が基枠４に対して長さ調整自在となっているので、昇降路２の奥行きの違いに応じて長さを調節することができ、さらに可動枠５の先端部に当接部材３４を設けることで、昇降路２の奥壁面２ｂの凹凸等に応じて可動枠５の先端部の長さを微調整して、この可動枠５をガタつくことなく奥壁面２ｂに当接させ、足場装置１を安定した姿勢で使用することができる。
第２に、前記当接部材３４は、可動枠５を構成する左右の枠材８の各先端部に独立して突出長さ微調整自在に設けられていることを特徴とする。
【０００６】
これによれば、当接部材３４を独立して長さ微調整自在とすることによって、昇降路２の奥壁面２ｂの左右方向の傾斜、凹凸等に対応させることができ、可動枠５をガタつくことなく奥壁面２ｂに当接させて足場装置１を安定した姿勢で使用することができる。
第３に、前記基枠４には水平状の足場面４０ａを形成する足場部材４０が設けられていることを特徴とする。
これによれば、作業者は、昇降路２内で足場部材４０に乗って作業を効率的に行うことができる。
【０００７】
第４に、前記基枠４と可動枠５とにわたって水平状の足場面４０ａを形成する足場部材４０が設けられていることを特徴とする。
これによれば、作業者は、昇降路２内で足場部材４０に乗って作業を効率的に行うことができる。
第５に、前記基枠４は、左右の枠材８と、枠材８同士を連結する少なくとも２本の連結杆９とを備え、前記足場部材４０の一端部は一方の連結杆９に連結され、足場部材４０の他端部は前記足場面４０ａが水平状となるように連結枠４６を介して他方の連結杆９に連結されていることを特徴とする。
【０００８】
これによれば、足場部材４０の着脱が簡単にでき、しかも足場部材４０が傾斜しないので足場部材４０上での作業性がよくなる。
第６に、前記基枠４は、左右の枠材８と、枠材８同士を連結する連結杆９とを備え、前記可動枠５は、左右の枠材１９と、枠材１９同士を連結する連結杆２０とを備えており、前記足場部材４０の一端部は基枠４の連結杆９と可動枠５の連結杆２０のうちの一方に連結され、足場部材４０の他端部は前記足場面４０ａが水平状となるように連結枠４６を介して他方の連結杆に連結されていることを特徴とする。
【０００９】
これによれば、足場部材４０の着脱が簡単にでき、しかも足場部材４０が傾斜しないので足場部材４０上での作業性がよくなる。
第７に、前記連結枠４６が梯子状に構成されていることを特徴とする。
これによれば、作業者の足場部材４０への乗降が容易になる。
【発明の効果】
【００１０】
本発明によれば、乗場側に固定される基枠に可動枠を連結して長さ調整自在とするとともに、この可動枠の先端部を長さ微調整自在とすることで、エレベータ昇降路用足場装置を昇降路内に安定姿勢で固定できる。
【発明を実施するための最良の形態】
【００１１】
以下、図面を参照しながら本発明の実施の形態を説明する。
図１において、エレベータ昇降路用足場装置１は、エレベータの昇降路２の乗場２ａ側から奥壁面２ｂに向かって上向き傾斜状に架設される支柱ユニット３を有している。
この支柱ユニット３は、乗場２ａ側に固定される基枠４と、この基枠４に連結されていて長さ調整自在な可動枠５を有している。
図１において、基枠４は基部側にフック部４ａを有し、この基部側が固定具６を介して乗場２ａの床面に固定され、自由端側が連結部材７を介して可動枠５と連結されている。この基枠４は左右の枠材８と、この枠材８同士を連結する少なくとも２本の連結杆９とを有している。枠材８には金属製で断面コ字状の棒部材（例えばチャンネル材）が用いられている。各連結杆９は、丸棒状とされるとともに枠材８の長手方向に離間されて両枠材８を連結している。
【００１２】
図１、２、５、６において、前記固定具６は、乗場２ａの床に固定される１対のベース部材１１と、ベース部材１１同士を連結する丸棒状の連結杆１２と、ベース部材１１から出退自在とされていて乗場２ａの縦壁面２ｃに掛止される掛止部材１３とを有している。  前記ベース部材１１は板材をＬ字状に折曲して形成され、乗場２ａの床に固定されるベース固定部１４と、前記連結杆１２を支持する支持壁１５とを有する。ベース固定部１４には複数（図例では２つ）の貫通孔１４ａが形成されており、ベース固定部１４はこの貫通孔１４ａを介してアンカーボルト等の固定手段によって床面に固定される。
【００１３】
支持壁１５の上部同士は連結杆１２によって連結され、この連結杆１２に基枠４のフック部４ａが着脱自在に掛止（連結）されており、これによって支柱ユニット３は前記連結杆１２廻りに回動可能となっている。
前記掛止部材１３は、先端部に下方突出状の掛止部１７を有しており、この掛止部１７は、乗場２ａの縦壁面２ｃに掛かるようになっている。この掛止部材１３は、支持壁１５の中途部に複数形成された孔１６を介してボルト固定されており、前記孔１６の位置を変えて固定することで、ベース部材１１からの突出長さを調整できるようになっている。
【００１４】
可動枠５は、基枠４と同様な形状の左右の枠材１９と、枠材１９の先端部寄り位置に丸棒状の連結杆２０を有し、基枠４の自由端（先端）側から出退自在とされて長さ調整自在となっており、その一端部（以下先端部という）が奥壁面２ｂと当接可能とされ、その他端部は連結部材２１を介して基枠４に連結されている。
なお、可動枠５の連結杆２０の中途部には枠材１９の先端部側に突出した環状部２３が形成されており、この環状部２３にホイスト等のフックを掛けて支柱ユニット３の吊り込みが可能になっている。また図２に示すように、枠材１９と連結杆２０との間には補強部材２４が設けられている。
【００１５】
上述のように、基枠４と可動枠５を各連結部材７、２１で連結することによって、可動枠５がこれら連結部材７、２１を介して基枠４の長手方向に沿ってスライド自在となっている。
また、前記可動枠５に固定の連結部材２１は、長方形状の板材の一端部を図７に示すように鉤状に折曲したものであり、他端部が可動枠５の枠材１９にボルト、ナット等の固定手段２５によって固定されている。連結部材２１の鉤部２６は、基枠４の枠材８がはずれないように係止している。
【００１６】
図１、３〜５、７に示すように、基枠４の枠材８の側壁には可動枠５を固定する固定部２８が枠材８の長手方向に沿って２箇所に設けられている。この固定部２８は、枠材８の内側にボス部２９を有しており、このボス部２９には貫通孔３０が形成されている。可動枠５に固定の連結部材２１には、前記ボス部２９の貫通孔３０と対応する孔３１が形成されており、連結部材２１の孔３１を前記ボス部２９の貫通孔３０に一致させ、ロックピン３２をこれらの孔３０、３１に挿通することで、基枠４に可動枠５を固定（位置決め）できるようになっている。
【００１７】
前記固定部２８は基枠４の２箇所に設けられているので、可動枠５の固定位置を変更することができ、これによって昇降路２の奥行きの違いに応じて、可動枠５は基枠４の自由端側からの突出長さを調整することができる。
なお、基枠４の自由端側に固定された連結部材７は、上述した可動枠５の連結部材２１と略同様の形状であり、一端部が基枠４の枠材８にボルト、ナット等により固定され、他端部の鉤部２６が可動枠５の枠材１９を係止している。基枠４に固定の連結部材７には、前記孔３１が形成されていないが、この連結部材７に同形の孔３１を形成し、可動枠５の枠材１９に固定部２８（ボス部２９）を設けて可動枠５を位置決めすることもできる。
【００１８】
前記ロックピン３２は、図７に示すように、前記各孔３０、３１に挿通されて可動枠５を基枠４に位置決めするＬ字状で丸棒状の本体部３２ａと、この本体部３２ａの先端側に枢支される抜け止め部３２ｂと、本体部３２ａと可動枠５とを連結する連結紐３２ｃとを有している。
前記抜け止め部３２ｂは、棒状で、枢支ピン３２ｄを介して本体部３２ａの先端側に回動自在に支持されている。可動枠５を基枠４に固定するときには、図７に示すように本体部３２ａに対して直交させ、これによって、本体部がボス部２９の孔３０から抜けはずれないようになる。ロックピン３２を取り外すときには、抜け止め部３２ｂを本体部３２の長手方向に沿うように回動させることで、本体部３２ａを各孔３０、３１から引き抜くことができるようになっている。
【００１９】
前記連結紐３２ｃは、本体部３２ａの基部側と可動枠５の枠材１９とを連結しており、これによってロックピン３２の紛失が防止されている。
図７において、基枠４の枠材８と可動枠５の枠材１９の間には、可動枠５のスライドを円滑にする摺動子３３（スペーサ部材）が設けられている。この摺動子３３は、ナイロン等の合成樹脂製で板状に形成されており、可動枠５の枠材１９にねじ止め（固定）されている。この摺動子３３は基枠４の枠材８に接触しており、これによって可動枠５は、基枠４に対して円滑に摺動するようになっている。
【００２０】
図１〜３、８、９において、可動枠５の先端部には、奥壁面２ｂに当接する当接部材３４が設けられており、この当接部材３４は、可動枠５の先端部から出退自在とされている。
この当接部材３４は四角柱状の筒体３５と、この筒体３５の先端部に設けられた弾性体３６（例えばゴム等）とを有している。筒体３５は、可動枠５の枠材１９の内側にスライド自在に挿入されている。この筒体３５の上面側には、複数（図例では４つ）の孔３７がこの筒体３５の長手方向に間隔をおいて内外貫通状に形成されている。一方、可動枠５の枠材１９の先端部には、筒体３５の孔３７と同形の１つの孔３８が貫通形成されており、これらの孔３７、孔３８とを一致させてボルト３９ａの軸部を挿通し、この軸部に蝶ナット３９ｂを螺合することで、筒体３５が可動枠５に固定されている。
【００２１】
筒体３５には複数の孔３７が形成されているので、固定する孔３７を変更することによって、当接部材３４は、可動枠５の先端部からの突出長さを微調整できるようになっている。なお、前記枠材１９の孔３８は、この枠材１９の長手方向に複数形成してもよい。この場合、これらの孔３８のピッチ（長手方向の間隔）を筒体３５の複数の孔３７のピッチと異ならせることによって、当接部材３４の突出長さの微調整を、より細かなものにできる。
前記当接部材３４は、可動枠５の各枠材１９に独立して（別個に）設けられており、図２の二点鎖線で示すように、奥壁面２ｂが平面視において傾斜している場合、各当接部材３４の突出長さを奥壁面２ｂの傾斜に応じて個別に微調整することで、可動枠５をガタつくことなく奥壁面２ｂに当接させることができる。
【００２２】
したがって、足場装置１は、支柱ユニット３による長さ調整と、前記当接部材３４による可動枠５先端部の長さ微調整の２段階の長さ調整によって、昇降路２の奥行きの違い、および奥壁面２ｂの凹凸や傾斜等に対応して安定した姿勢で使用することができる。
図１、４において、基枠４には水平状の足場面４０ａを形成する足場部材４０が設けられている。この足場部材４０は、図１０、１１に示すように長方形状の足場枠４１に足場板４２を設けて構成され、この足場板４２の上面が前記足場面４０ａとなっている。足場枠４１の長手方向の各端部には、支柱ユニット３への連結手段として左右対のフック部４３が設けられている。足場枠４１の左右各側部には手摺り４４の基部を差し込み可能な対の環状取付部４５が形成されており、この環状取付部４５を介して手摺り４４が足場枠４１に取り付けられている。
【００２３】
足場部材４０は、一端部のフック部４３が基枠４に設けられた連結杆９の一方に着脱自在に取り付けられ（連結され）、他端部のフック部４３が連結枠４６を介して基枠４の他方の連結杆９に着脱自在に連結されている。これによって足場部材４０は、昇降路２に傾斜して取付けられた支柱ユニット３に対し、その足場面４０ａが水平状となり、作業者が足場部材４０上で作業をし易くなっている。
連結枠４６は、図１２に示すように、対の丸棒状縦杆４７同士を複数の丸棒状横杆４８で連結して梯子状とされており、縦杆４７の一端部にはクランプ４９が設けられて基枠４の連結杆９に連結されており、縦杆４７の他端部は横杆４８によって連結されていて、この横杆４８に足場部材４０のフック部４３が着脱自在に取付けられている。
【００２４】
連結枠４６の長さ（縦杆４７の長さ）は、足場部材４０の足場面４０ａが水平状になるよう設定されている。すなわち、側面視（図１）において、支柱ユニット３の２本の連結杆９の間の基枠４の傾斜部分と連結枠４６と足場部材４０とによって、前記傾斜部分が長辺となる三角形を構成し、連結枠４６がこの三角形の他の短辺となっている。この場合、連結枠４６の長さは、足場部材４０が水平状になった状態において、連結枠４６と連結される前記足場部材４０のフック部４３から連結枠４６が連結される基枠４の自由端側の連結杆９までの距離Ｙと同じになっている。
【００２５】
例えば、この実施形態では、前記傾斜部分が斜辺となる直角三角形を構成し、連結枠４６は、直角三角形の他の一辺となるようにその長さが設定されている。この連結枠４６の長さは、前記直角三角形の他の一辺の長さに限らず、長さを異ならせることができる。例えば、足場部材の長さが図１の場合よりも短く、そして連結枠４６の長さを図１の場合よりも長くして、連結枠４６が奥壁面２ｂに向かって上向き傾斜した状態で足場部材４０の足場面４０ａが水平となるように支持連結することもできる。
なお、この実施形態では、支柱ユニット３は、その傾斜角度が水平方向に対して約３５°に設定されている。
【００２６】
また、足場部材４０は、基枠４と可動枠５とにわたって取り付けることもできる。すなわち、基枠４の自由端側に設けられた連結杆９と可動枠５に設けられた連結杆２０の何れか一方に足場部材４０の一端部のフック部４３を取付け、他方に足場部材４０の他端部のフック部４３を前記連結枠４６を介して連結し、上述した場合と同様に、支柱ユニット３と連結枠４６と足場部材４０とによって三角形を構成するのである。このように、足場部材４０を支柱ユニット３に取り付けた場合でも、連結枠４６を介して足場部材４０の足場面４０ａを水平状にし、足場面４０ａ上での作業性を向上できる。
【００２７】
このように、支柱ユニット３には１つまたは２つの足場部材４０を取り付けることができる。図１では、連結枠４６を基枠４または可動枠５から下向きになるように連結杆９に連結し、各足場部材４０が支柱ユニット３の下側に位置するようして、基枠４に設けた足場部材４０と可動枠５側に設けた足場部材４０とで階段状に構成することができる。この場合、基枠４側の連結枠４６を可動枠５側の足場部材４０に登るための梯子として使用でき、作業者は足場部材４０への乗降が容易にできるようになっている。また、上述したように、連結枠４６の長さが図１の場合よりも長くて、連結枠４６が傾斜した場合には、作業者が連結枠４６の横杆４８に足をかけやすくなり、可動枠５側の足場部材４０への乗降が楽にできるようになる。
【００２８】
このように、足場部材４０を階段状に組み付けることによって、上下方向の作業範囲を広くすることができる。
また、図１３に示すように、可動枠５側の足場部材４０はそのままで、基枠４側の足場部材４０の連結枠４６を基枠４基部側の連結杆９に上向きに連結して、足場部材４０を支柱ユニット３の上側で支持することで、２つの足場部材４０の高さを同じにして平坦で広い足場面積を確保することができる。
また、可動枠５側の足場部材４０も図１３の二点鎖線で示すように支柱ユニット３の上側で支持して、２つの足場部材４０を支柱ユニット３の上側で階段状に構成することもできる。
【００２９】
また、上述したように、足場部材４０は、各連結杆９、２０に対する連結枠４６の取付け方を変えることによって、上下位置を変更可能となっているので、昇降路２内の作業場所の高低に対応した作業を行うことができるようになっている。
本発明は、上記の実施形態に限らず以下のような変形が可能である。
例えば、支柱ユニット３を大型化して、３つ以上の複数の足場部材４０を取り付けるようにしてもよい。連結枠４６の縦杆４７を長手方向に伸縮自在な構成にすることによって、支柱ユニット３の傾斜角度を自在に設定可能とし、連結枠４６の長さを支柱ユニット３の傾斜角度に応じて調整し、足場面４０ａが水平状になるように足場部材４０を設けることもできる。また、基枠４または可動枠５に対し、固定部２８を３箇所以上の複数箇所に設けて、支柱ユニット３を多段長さ調整自在な構成にしてもよい。連結枠４６は、梯子状とせずに、四角形の枠体を用いてこの枠体の一端部にクランプ４９を取付け、他端部に足場部材４０のフック部４３を連結する構成にもできる。基枠４には３本以上の複数の連結杆９を設けてもよく、可動枠５には２本以上の複数の連結杆２０を設けてもよい。
【図面の簡単な説明】
【００３０】
【図１】本発明に係る足場装置の側面図である。
【図２】足場装置の平面図である。
【図３】支柱ユニットの側面図である。
【図４】足場装置の拡大側面図である。
【図５】足場装置の基部の拡大側面図である。
【図６】足場装置の基部の拡大平面図である。
【図７】図１のＡ−Ａ矢示線断面図である。
【図８】当接部材の平面図である。
【図９】当接部材の断面側面図である。
【図１０】足場部材の平面図である。
【図１１】足場部材の側面図である。
【図１２】連結枠の正面図である。
【図１３】足場部材の位置を変更した足場装置の側面図である。
【符号の説明】
【００３１】
１    足場装置
２    昇降路
２ａ  乗場
２ｂ  奥壁面
３    支柱ユニット
４    基枠
５    可動枠
８    枠材
９    連結杆
１９    枠材
２０    連結杆
３４    当接部材
４０    足場部材
４６    連結枠
【図１】
2006103927.tif 000003
【図２】
2006103927.tif 000004
【図３】
2006103927.tif 000005
【図４】
2006103927.tif 000006
【図５】
2006103927.tif 000007
【図６】
2006103927.tif 000008
【図７】
2006103927.tif 000009
【図８】
2006103927.tif 000010
【図９】
2006103927.tif 000011
【図１０】
2006103927.tif 000012
【図１１】
2006103927.tif 000013
【図１２】
2006103927.tif 000014
【図１３】
2006103927.tif 000015